(57)【要約】【課題】バスト脇部の保形性が高く、且つ着心地がよく丸みのある美しく自然な形状のバストを造形する衣類を提供する。【解決手段】本発明の一形態に係る衣類は、一対のカップ部を備え、前記カップ部は、前記カップ部の下部を構成する下カップ部と、前記カップ部の上部を構成する上カップ部と、前記カップ部の側部に配される脇サポート部と、を備え、前記上カップ部の外側端部は、前記下カップ部の上辺の外側端部よりも前記センター寄りの位置に配される。【選択図】図１
2018053382.tif 000002
【特許請求の範囲】
【請求項１】
一対のカップ部を備え、
前記カップ部は、前記カップ部の下部を構成する下カップ部と、前記カップ部の上部を構成する上カップ部と、前記カップ部の側部に配される脇サポート部と、を備え、
前記上カップ部の外側端部は、前記下カップ部の上辺の外側端部よりもセンター寄りの位置に配される、衣類。
【請求項２】
前記上カップ部の上辺は、中央が上方に凸となり、一対のカップ部が対向するセンター側と、外側とが、前記中央よりも下に位置するように湾曲し、上カップ部の上辺の曲率が、下カップ部の上辺の曲率よりも大きい、請求項１に記載の衣類。
【請求項３】
前記上カップ部及び前記下カップ部は前記脇サポート部に接続され、
一対の前記カップ部の前記脇サポート部の上端が一対のショルダーストラップにそれぞれ接続される、請求項１または２記載の衣類。
【請求項４】
前記脇サポート部の上部は、前記下カップ部と前記上カップ部とで構成されるカップベースよりも上方に突出する突出片を有し、
前記脇サポート部の内縁の上部と前記上カップ部の上辺の外側の部位とによって切り欠き部が形成される、請求項１乃至３のいずれか記載の衣類。
【請求項５】
前記脇サポート部は、前記上カップ部及び前記下カップ部の側部であって前記上カップ部の外側端部を含む領域に、重ねて配されるとともに、前記カップの頂部に向けて突出する内縁を有する、請求項１乃至４のいずれか記載の衣類。
【請求項６】
前記脇サポート部は、前記上カップ部と前記下カップ部とを構成する生地よりも伸縮性の小さい生地で構成され、前記下カップ部と前記上カップ部とで構成されるカップベースに重ねて配される保形シートと、前記カップベース及び前記保形シートの表側及び裏側の少なくともいずれかに重ねられる被覆シートと、を備える、請求項１乃至５のいずれか記載の衣類。
【発明の詳細な説明】
【技術分野】
【０００１】
本発明の実施形態は、バスト用の衣類に関する。
【背景技術】
【０００２】
ブラジャーなど、女性のバストに装着するバスト用の衣類として、胸部を覆う一対のカップ部と、各カップ部の側縁に接続され背中に至るベルトと、各カップ部の上部から肩を通って背中に至り各ベルトに接続されるショルダーストラップと、を備え、カップ部には、カップの脇側周縁及び下縁脇側寄りに細幅のサポートシートを装着することが知られている（例えば、特許文献１参照。）。一般的に上カップパーツの上縁は、カップ部の内側端部であるセンター部から、ショルダーストラップが連結されるストラップ連結部まで繋がっている。また、脇サポートシートは、カップ部の下縁脇側寄りからストラップ連結部に向けて上方に直線状に延びる帯状に構成されている。一般的に、保形性を確保するために脇サポートシートには伸縮性の低い生地が用いられる。
【先行技術文献】
【特許文献】
【０００３】
【特許文献１】特許第４７１７２０１号公報
【発明の概要】
【発明が解決しようとする課題】
【０００４】
上述のバスト用の衣類の構成では、カップと脇サポートシートの積層により圧迫感が生じるため、着心地が損なわれる。また、直線状に延びる脇サポートシートでは、バストの先端がとがりやすく、バスト全体がシャープな形状になり易かった。このため、バスト脇部の保形性が高く、且つ着心地がよく丸みのある美しく自然な形状のバストを造形するバスト用衣類が望まれている。
【課題を解決するための手段】
【０００５】
本発明の一形態に係る衣類は、一対のカップ部を備え、前記カップ部は、前記カップ部の下部を構成する下カップ部と、前記カップ部の上部を構成する上カップ部と、前記カップ部の側部に配される脇サポート部と、を備え、前記上カップ部の外側端部は、前記下カップ部の上辺の外側端部よりも前記センター寄りの位置に配されることを特徴とする。
【発明の効果】
【０００６】
本発明によれば、バスト脇部の保形性が高く、且つ着心地がよく丸みのある美しく自然な形状のバストを造形するバスト用の衣類を提供できる。
【図面の簡単な説明】
【０００７】
【図１】第１実施形態にかかるブラジャーの構成を示す斜視図。
【図２】同ブラジャーの構成を示す背面図。
【図３】同ブラジャーの断面の構成を示す説明図。
【図４】同ブラジャーの構成を示す分解図。
【発明を実施するための形態】
【０００８】
以下、本発明の第１実施形態にかかるバスト用の衣類の一例としてのブラジャー１について図１乃至図４を参照して説明する。図１は本実施形態に係るブラジャー１を表側から見た斜視図であり、図２は裏側から見た背面図である。図３は図２のＩＩＩ―ＩＩＩ線における断面の構成を示す説明図であり、図４はカップ部１１を構成する複数のパーツの形状を示す分解図である。なお、各図では説明のため、適宜構成を拡大、縮小、省略して模式的に示している。本実施形態において、上下左右等の方向は、ブラジャー１を立位状態の着用者に着用させた場合の姿勢を基準として、それぞれ示し、例えば着用者の頭部側を上とする。なお、図２において説明のため、左側のカップ部１１のサポート被覆シート１６Ｃを省略して示している。
【０００９】
図１乃至図４に示すように、バスト用の衣類であるブラジャー１は、着用者の胸部に配される一対のカップ部１１を有する第１サポート部１０と、第１サポート部１０の両側部に接続され着用者の脇下の側部から背中に回ってバックセンターに至る一対のベルト２１を備える第２サポート部２０と、第１サポート部１０の一対のカップ部１１の上部に接続され着用者の肩部の上から背中側に回って第２サポート部２０に連結される一対のショルダーストラップ３１を備える第３サポート部３０と、を備える。
【００１０】
第１サポート部１０は、左右一対のカップ部１１と、一対のカップ部１１の下側に配されたベース部１２と、を一体に備える。
【００１１】
各カップ部１１は、胸部の一対の乳房にそれぞれ対応し、着用時に各乳房を覆うように配置される。一対のカップ部１１は左右に並列して配置されている。
【００１２】
カップ部１１は、複数のパーツが縫合により連結され、中央が隆起する椀状に構成される。一対のカップ部１１は、それぞれ、下方に凸となるカーブを呈する下カップ縁１１ａと、一対のカップ部１１が対向するセンターから上方に凸となる円弧状のカーブを描く上カップ縁１１ｂと、下カップ縁１１ａの外側端から上方に延びてストラップ連結部３２に至る外カップ縁１１ｃと、上カップ縁１１ｂの外側端から上方かつ外方に延びてストラップ連結部３２に至る脇カップ縁１１ｄと、で囲まれる形状に構成されている。
【００１３】
カップ部１１の脇部には、上カップ縁１１ｂの外側部と脇カップ縁１１ｄとでＶ字状の切り欠きを構成する谷部１１ｅが形成され、外カップ縁１１ｃと脇カップ縁１１ｄとにより上方に突出する突出片１１ｆが形成される。
【００１４】
カップ部１１は、カップ部１１の下部を構成する下カップ部１３と、下カップ部１３の上部に縫合されて連結される上カップ部１４と、下カップ部１３及び上カップ部１４の外側部に重ねて配される脇サポート部１６と、を備える。
【００１５】
下カップ部１３は、複数の下カップ片１３Ａ，１３Ｂが縫い合わされて構成される。下カップ部１３は、下辺１３ａと、外辺１３ｂと、上辺１３ｃと、で囲まれる形状に構成されている。
【００１６】
下辺１３ａは、下側に凸となるカーブを呈し、下カップ縁１１ａの一部を構成する。外辺１３ｂは、下辺１３ａの外側の端部から上方及び内方に斜めに延び、外カップ縁１１ｃの一部を構成する。上辺１３ｃは、下辺１３ａのセンター側の端部から上方に膨らむカーブを描き外辺１３ｂの上端部に至る。複数の下カップ片１３Ａ，１３Ｂが縫い合わされた縫合ラインＬ１の上端部あるいはその近傍が、カップ部１１の隆起の頂部であるカップトップＰ１となる。
【００１７】
上カップ部１４は下辺１４ａと、上辺１４ｂと、内辺１４ｃと、で囲まれる形状に構成されている。下辺１４ａは、下カップ部１３の上辺１３ｃに沿って配され、上辺１３ｃに縫合される。上辺１４ｂは、上に凸となる円弧状のカーブを描く。上辺１４ｂは、センター側の端部から上方に変位し、カップトップＰ１の上方の位置において最も上方に突出した頂部Ｐ２を有し、頂部Ｐ２よりも外側に行くにつれて再び下方に変位し、下カップ部の上辺１３ｃよりも大きい曲率で弓なりのカーブを描く。上辺１４ｂの外側端部１４ｄは下カップ部１３の上辺１３ｃの中途部位に交わる。上辺１４ｂと下辺１４ａとのコーナー部分である外側端部１４ｄが下カップ部１３の上辺１３ｃと交わるクロス点Ｐ３は、下カップ部１３の上辺１３ｃの外側端部１３ｄよりも内側、すなわちセンターＣ１寄りの中途位置に配される。
【００１８】
なお、クロス点Ｐ３と下カップ部１３の上辺１３ｃの外側端部１３ｄ間の長さは、下カップ部１３の上辺１３ｃの全体の長さの少なくとも１／１０以上であることが好ましい。
【００１９】
内辺１４ｃは、下辺１４ａのセンター側端部と上辺１４ｂのセンター側の端部とを結ぶラインであり、下カップ縁１１ａのセンター側の一部を構成する。
【００２０】
脇サポート部１６は、カップベース１５の表側に重ねられる保形シート１６Ａと、保形シート１６Ａの表側とカップベース１５の裏側にそれぞれ配される２枚のサポート被覆シート１６Ｂ，１６Ｃと、を備える。保形シート１６Ａは、難伸縮素材で構成されている。サポート被覆シート１６Ｂ，１６Ｃは例えばトリコット布で構成されている。
【００２１】
保形シート１６Ａと２枚のサポート被覆シート１６Ｂ，１６Ｃは同形状に構成され、カップベース１５を挟み込んで重合固着される。脇サポート部１６は、サポート下縁１６ａと、サポート外縁１６ｂと、サポート内縁１６ｃと、で囲まれる所定形状に構成される。
【００２２】
サポート下縁１６ａは、下カップ縁１１ａの外側の領域に沿う曲線であり、下カップ縁１１ａの外側端部とラインＬ１の間の所定箇所に至る。
【００２３】
なお、サポート下縁１６ａの長さは、下カップ縁１１ａの長さに対して１／３以上１／２以下であることが好ましい。
【００２４】
サポート外縁１６ｂは、外カップ縁１１ｃに沿う曲線であり、サポート下縁１６ａの外側端部から内方及び上方に湾曲して延び、ストラップ連結部３２に至る。
サポート内縁１６ｃは、サポート下縁１６ａの内側端からカップトップＰ１に向けて内方に凸となる円弧状のカーブを描きながら上方に延びさらに上方が外側に凸となるゆるやかなカーブを描き、ストラップ連結部３２に至る。サポート内縁１６ｃは緩やかなＳ字状のカーブを呈している。
【００２５】
脇サポート部１６は、下カップ部１３と上カップ部１４とで構成されるカップベース１５の外側の部位に重ねて縫い合わされる。脇サポート部１６は、上カップ部１４の上辺１４ｂと下カップ部１３の上辺１３ｃが交差する外側端部１４ｄを覆うように重ねて配置される。脇サポート部１６の上部の一部はカップベース１５より上方に突出する突出部を形成している。
【００２６】
カップ部１１の表面は表布１７で覆われている。表布１７は、例えばレース生地で構成される。表布１７は例えば谷部１１ｅを含む領域を覆い、ストラップ連結部３２に縫合される。なお、図１は表布１７を透過させて表布１７に重なるカップ部１１の部材の構成を示している。
【００２７】
下カップ縁１１ａに沿ってワイヤーチャネル１９が設けられている。袋状のワイヤーチャネル１９の縁部分が表布１７とともに縫合され、内部にサポート材としてのワイヤ１９ａが収容される。
【００２８】
ベース部１２は、カップ部１１の下カップ縁１１ａに縫合された帯片である。
【００２９】
一対のカップ部１１の下カップ縁１１ａ及びベース部１２の外側縁で構成される第１サポート部１０の両端縁に、第２サポート部２０を構成する一対のベルト２１がそれぞれ接続されている。
【００３０】
第２サポート部２０は、着用者の背中部位に配される、いわゆる背部であり、第１サポート部１０の外側縁にそれぞれ接続されバックセンターで互いに連結されて繋がる一対のベルト２１を備える。
【００３１】
各一対のベルト２１はその端部に連結具が設けられ、着用者の背中部位で互いに連結される。
【００３２】
ベルト２１の上端縁の所定箇所に、第３サポート部３０のショルダーストラップ３１が連結される。
【００３３】
第３サポート部３０は、一対のショルダーストラップ３１を備える。ショルダーストラップ３１は、可撓性の帯状に構成され、例えば伸縮性のあるゴムベルトで構成される。ショルダーストラップ３１は、その一端が一対のカップ部１１の上端に連結されて上方に延び、肩部上を通って背中に回り、その他端が背中においてベルト２１に連結されている。
【００３４】
以上のように構成されたブラジャー１において、第１サポート部１０の外縁やベルト２１の上縁は伸縮性を有するテープ材４１により端処理が成されている。また、ベース部１２の下縁に沿って、伸縮性を有するテープ材４１が縫着されている。
【００３５】
ブラジャー１のカップ部１１の製造工程について図４を参照して説明する。まず、上カップ部１４と下カップ部１３の２つのパーツを縫製して連結し、カップベース１５を製造する。そして、上カップ部の上辺１４ｂと下カップ部１３の上辺１３ｃとが交差するクロス点Ｐ３を含む領域を覆うように、下カップ部１３の表側に保形シート１６Ａ、サポート被覆シート１６Ｂの順に重ね、且つ下カップ部１３の肌側にも同形のサポート被覆シート１６Ｃを重ねる。そして、サポート被覆シート１６Ｂ、保形シート１６Ａ、ベースパーツ１５、サポート被覆シート１６Ｃを脇サポート部１６のサポート内縁１６ｃに沿って縫着する。さらに、カップ部１１の表面全体を覆うようにレース生地などの表布１７を重ね、肌側に下カップ縁１１ａに沿ってワイヤ１９ａを内包したワイヤーチャネル１９を配し、縫製ラインＳ１にて縫着する。
【００３６】
本実施形態にかかるブラジャー１によれば、上カップ部１４が、下カップ部１３の上縁である上辺１３ｃの外側端部まで延在せず、上カップ部１４が配されない谷部１１ｅを覆うように脇サポート部１６が配される。脇サポート部１６とカップベース１５が重合しない部分が構成される。この部分は脇サポート部１６のみによってサポートするため、厚みが軽減されることで、脇部における圧迫感を与えず着用感が良い。すなわち、保形シート１６Ａに上カップ部１４までもが重なる構成では厚みが大きく、脇部において圧迫感が生じるが、本実施形態によれば厚みが少なく圧迫感を低減できる。
【００３７】
また、脇サポート部１６は、カップ部１１の下カップ縁１１ａからストラップ連結部３２にかけてバスト中央に向かって凸となる円弧状の湾曲ラインを形成する。直線状のサポートシートではバストが脇寄せされた際、バストのボリュームがバストトップに集まることでバストトップが尖り易くバストがシャープな形状となり易いが、この円弧上のラインはバストの丸みに沿うため、バストを無理に押えず、バストの曲線を損なわない自然な丸みの形状を造形することが出来る。
【００３８】
加えて、ブラジャー１においては脇サポート部１６がバスト中央に向かって凸となる円弧状ラインを形成することで、直線状の帯状に構成されたサポート材と比べてバストを支える面積が広いため、脇部のバストサポート力が高い。特に、カップのトップ位置Ｐ１に向けて広がるように配置することで、サイドからセンターへバストを押し込みバストが横流れするのを防ぎ、バストの丸みを形成することができる上、サポート部の面積をより広くとることが可能である。
【００３９】
なお、サポート外縁端部１６ｄからサポート内縁１６ｃの最もセンターＣ１側に突出した位置Ｐ４までの距離ｘ１は、サポート外縁端部１６ｄからトップ位置Ｐ１までの距離ｘ２の１／２以上であることが好ましい。
【００４０】
上カップ部１４の上辺１４ｂは着用状態の頭方向に凸となる円弧状ラインであり、カップの上辺１３ｃよりも曲率を大きくとることで、脇サポート部１６によりサイドから脇寄せされたバストがきれいにカップ部１１に収まり、カップ部１１の上辺に段差となって食い込みにくい。
【００４１】
上カップ部１４の上辺１４ｂにこのような円弧状ラインを形成することで、脇サポート部１６とカップの上カップ縁１１ｂとの間に切り欠き部を有する谷部１１ｅが形成され、バストの露出が増えることで見た目にも軽やかでデザイン性が高いブラジャーが提供できる。
【００４２】
なお、本発明は上記各実施形態そのままに限定されるものではなく、実施段階ではその要旨を逸脱しない範囲で構成要素を変形して具体化できる。
【００４３】
脇サポート部１６の内縁の形状は、上述の円弧状に限られるものではなく、例えば波形に形成されていてもよい。
【００４４】
さらに、脇サポート部１６は保形シート１６Ａ，と２枚のカバーシート１６Ｂ、１６Ｃとを積層した３層構造としたが、これに限られるものではなく、生地の積層数を増減してもよい。
【００４５】
脇サポート部１６の保形シート１６Ａは、カップ部１１の表側に限らず、裏側、またはその両方に配されていてもよい。
【００４６】
脇サポート部１６の肌側には、バストの横流れ防止のため、ボーンを配してもよい。
【００４７】
例えば上記実施形態ではバスト用衣類としてのブラジャー１に適用した例を示したが、これに限られるものではなく他の形態のブラジャーはもちろん、スリップ、タンクトップ、シャツ、ワンピース、水着などバストに着用する種々の衣類に用いることができる。上記実施形態においてブラジャー１はカップ部１１の裏側にリフトアップパーツや別体のパッドを収納可能なポケットを有する構造としてもよいし、クッションパッドを一体に備える構造としてもよい。さらに、ショルダーストラップを備えないストラップレスタイプでもよい。
【００４８】
この他、上記実施形態に例示された各構成要素を削除してもよく、各構成要素の形状、構造、材質等を変更してもよい。上記実施形態に開示されている複数の構成要素の適宜な組み合わせにより、種々の発明を形成できる。
【符号の説明】
【００４９】
１…ブラジャー、１０…第１サポート部、１１…カップ部、１１ａ…下カップ縁、１１ｂ…上カップ縁、１１ｃ…外カップ縁、１１ｄ…脇カップ縁、１１ｅ…谷部、１１ｆ…突出片、１２…ベース部、１３…下カップ部、１３Ａ、１３Ｂ…下カップ片、１３ａ…下辺、１３ｂ…外辺、１３ｃ…上辺、１３ｄ…外側端部、１４…上カップ部、１４ａ…下辺、１４ｂ…上辺、１４ｃ…内辺、１４ｄ…外側端部、１５…カップベース、１６…脇サポート部、１６Ａ…保形シート、１６Ｂ…サポート被覆シート、１６Ｃ…サポート被覆シート、１６ａ…サポート下縁、１６ｂ…サポート外縁、１６ｃ…サポート内縁、１７…表布、１９…ワイヤーチャネル、１９ａ…ワイヤ、２０…第２サポート部、２１…ベルト、３０…第３サポート部、３１…ショルダーストラップ、３２…ストラップ連結部、４１…テープ材、Ｐ１…カップトップ、Ｐ２…頂部、Ｐ３…クロス点、Ｓ１…縫製ライン。
【図１】
2018053382.tif 000003
【図２】
2018053382.tif 000004
【図３】
2018053382.tif 000005
【図４】
2018053382.tif 000006